(57)【要約】      （修正有）【課題】コンパクトに利用できる水洗トイレユニット及び水洗トイレシステムを提供する。【解決手段】水洗トイレユニットにはコンテナ式が採用され、複数の個室が形成されるようにコンテナの内部空間を仕切る仕切り壁と、複数の個室のそれぞれに設置された便器を含む水洗トイレ用の複数の便器と、複数の手洗い器と、床下に設けられ、便器及び手洗い器からの汚水が流入する汚水タンク５１と、汚水タンク５１より下方に設置され、一端６１が汚水タンク５１の下部と接続し、他端６４がコンテナ外に向かって開口した排水管６０と、排水管６０を閉塞した状態と排水管６０を開放した状態とを切り替えるバルブ６８とを備えている。【選択図】図４
0003212244.tif 000002
【実用新案登録請求の範囲】
【請求項１】
コンテナ式の水洗トイレユニットであって、
複数の個室が形成されるように前記コンテナの内部空間を仕切る仕切り壁と、
前記複数の個室のそれぞれに設置された便器を含む水洗トイレ用の複数の便器と、
複数の手洗い器と、
床下に設けられ、前記便器及び前記手洗い器からの汚水が流入する汚水タンクと、
前記汚水タンクより下方に設置され、一端が前記汚水タンクの下部と接続し、他端が前記コンテナ外に向かって開口した排水管と、
前記排水管を閉塞した状態と前記排水管を開放した状態とを切り替えるバルブとを備えていることを特徴とする水洗トイレユニット。
【請求項２】
前記排水管の他端が、前記コンテナの側方に向かって開口していることを特徴とする請求項１に記載の水洗トイレユニット。
【請求項３】
前記汚水タンク内と外部とを連通させる通気管をさらに備えており、
前記通気管の一端が前記排水管における前記バルブと前記他端との間の部分に接続され、前記通気管の他端が前記汚水タンク内の空間の上部に開口していることを特徴とする請求項１又は２に記載の水洗トイレユニット。
【請求項４】
請求項１〜３のいずれか１項に記載の水洗トイレユニットと、
前記排水管の他端と接続され、前記汚水タンクからの汚水を下水道へ導く流路とを備えていることを特徴とする水洗トイレシステム。
【考案の詳細な説明】
【技術分野】
【０００１】
本考案は、水洗トイレユニット及び水洗トイレシステムに関する。
【背景技術】
【０００２】
従来、搬送や保管の便を考慮し、複数の便器を備えた仮設トイレがある。このような仮設トイレとして、例えば特許文献１には、コンテナ式の水洗トイレユニットが記載されている。この水洗トイレユニットを使用する際には、外部の汚水タンクと接続することで汚水を汚水タンクに貯留するか、直接下水道へ汚水を排出するかを選択できる。
【先行技術文献】
【特許文献】
【０００３】
【特許文献１】実用新案登録第３２０９０１７号公報
【考案の概要】
【考案が解決しようとする課題】
【０００４】
しかし、特許文献１の水洗トイレユニットによると、直接下水道に排出しない場合には外部に汚水タンクを用意する必要がある。したがって、水洗トイレユニットと汚水タンクの両方を設置する場所を確保しなければならない。
【０００５】
本考案の目的は、コンパクトに利用できる水洗トイレユニット及び水洗トイレシステムを提供することにある。
【課題を解決するための手段】
【０００６】
本考案の水洗トイレユニットはコンテナ式の水洗トイレユニットであって、複数の個室が形成されるように前記コンテナの内部空間を仕切る仕切り壁と、前記複数の個室のそれぞれに設置された便器を含む水洗トイレ用の複数の便器と、複数の手洗い器と、床下に設けられ、前記便器及び前記手洗い器からの汚水が流入する汚水タンクと、前記汚水タンクより下方に設置され、一端が前記汚水タンクの下部と接続し、他端が前記コンテナ外に向かって開口した排水管と、前記排水管を閉塞した状態と前記排水管を開放した状態とを切り替えるバルブとを備えている。
【０００７】
本考案の水洗トイレユニットによると、汚水タンクが外部ではなく、コンテナと一体に設けられている。そして、この汚水タンクは、床下のスペースを利用して設けられている。このため、水洗トイレユニット全体がコンパクトに利用できるものとなっている。また、バルブの切り替えにより、排水管において汚水タンクに汚水を貯留する状態と汚水タンクから汚水を排出できる状態とを切り替えられる。排水管を下水道への流路と繋げると共に、排水管を汚水タンクから汚水を排出できる状態にすると、汚水を直接下水道へ排出することも可能である。このように、本考案は、汚水タンクに汚水を貯留する使用方法と、直接下水道へ汚水を排出する使用方法との両方に対応している。
【０００８】
また、本考案においては、前記排水管の他端が、前記コンテナの側方に向かって開口していることが好ましい。これによると、排水管の他端がコンテナの側方に向かって開口しているので、例えば排水管の他端がコンテナの底部に開口している場合と比べて、下水道に汚水を排出する流路を排水管に接続しやすい。
【０００９】
本考案においては、前記汚水タンク内と外部とを連通させる通気管をさらに備えており、前記通気管の一端が前記排水管における前記バルブと前記他端との間の部分に接続され、前記通気管の他端が前記汚水タンク内の空間の上部に開口していることが好ましい。これによると、汚水タンク内の空気が通気管及び排水管を通じて外部へ排出され、汚水タンク内の空気を清浄化しやすい。
【００１０】
また、本考案の水洗トイレシステムは、前記水洗トイレユニットと、前記排水管の他端と接続され、前記汚水タンクからの汚水を下水道へ導く流路とを備えていることが好ましい。これによると、排水管と流路を介し、水洗トイレユニットからの汚水を容易に下水道へ排出できる。
【図面の簡単な説明】
【００１１】
【図１】本考案の一実施形態に係るコンテナ式の水洗トイレユニットを接続したトレーラーの斜視図である。
【図２】図１の水洗トイレユニットの一部水平方向に沿った断面を含む平面図である。
【図３】図１の水洗トイレユニットを左方から見た側面図である。
【図４】図３のIV領域における排水管を示す部分拡大断面図である。
【図５】図３のV-V線断面図である。
【考案を実施するための形態】
【００１２】
以下、本考案の一実施形態に係る水洗トイレユニット１について図１〜図５を参照しつつ説明する。水洗トイレユニット１は、図１に示すようにトレーラー２に接続可能なコンテナ式のユニットである。以下における前後左右の各方向は、トレーラー２に接続した図１の状態におけるトレーラー２の前進方向を基準とする。
【００１３】
水洗トイレユニット１は、天井１１と外周壁１２と床１３とによって構成されたコンテナ１０からなり、直方体の外形を有している。天井１１と外周壁１２と床１３とは、水洗トイレユニット１における直方体の内部空間を規定し、外周壁１２には複数の窓１４が設けられている。この内部空間内には、図２に示すように、トイレ設備を構成する各種の設備が配置されている。具体的には水洗トイレユニット１は、後述する複数の個室３３が形成されるようにコンテナの内部空間を仕切る仕切り壁１６と、複数の個室３３のそれぞれに設置された便器を含む水洗トイレ用の複数の便器１７，１８と、複数の手洗い器１９とを備えている。
【００１４】
水洗トイレユニット１の内部空間は、複数の仕切り壁１６によって、前側に設けられた男性用トイレ３１と、後側に設けられた女性用トイレ４１と、両者の間に設けられた多目的トイレ４６とに仕切られている。水洗トイレユニット１の前後方向中央部には、出入り口２１となる開口が設けられている。出入り口２１は水洗トイレユニット１の右側に配置され、水洗トイレユニット１の左右方向に延びる通路２２に繋がっている。
【００１５】
男性用トイレ３１は、通路２２より前方に設けられ、男性用トイレ３１の後端に設置されたスイングドア３２により開閉可能に通路２２に繋がっている。男性用トイレ３１は、右側の外周壁１２に沿って配置された２つの小便器１７および１つの手洗い器１９と、左側の外周壁１２に沿って配置された２つの個室３３とを有する。小便器１７と手洗い器１９とは、男性用トイレ３１の前方から後方に向かって順に配列されている。個室３３は、男性用トイレ３１のほぼ左半分の領域を占めている。個室３３はスイングドア３４によって開閉可能に設置され、個室３３のそれぞれには、腰掛式（洋式）の大便器１８とロールペーパーホルダー３６とが設けられている。なお、男性用トイレ３１の前端の外周壁１２には、窓１４が取り付けられている。
【００１６】
女性用トイレ４１は、通路２２より後方に設けられ、女性用トイレ４１の前端に設置されたスイングドア４２により開閉可能に通路２２に繋がっている。女性用トイレ４１は、右側の外周壁１２に沿って配置された２つの手洗い器１９と、左側の外周壁１２に沿って配置された３つの個室３３とを有する。手洗い器１９は、女性用トイレ４１の前方から後方に向かって順に配列されている。個室３３は、女性用トイレ４１のほぼ左半分の領域を占めている。個室３３はスイングドア４３によって開閉可能に設置され、個室３３のそれぞれには、大便器１８とロールペーパーホルダー３６とが設けられている。なお、女性用トイレ４１の後端の外周壁１２には、窓１４が取り付けられている。
【００１７】
多目的トイレ４６は、通路２２より奥側すなわち出入り口２１と反対側に設けられており、出入り口２１を通じて外部に開放されている。なお、多目的トイレ４６が、多目的トイレ４６と通路２２との間に設置されたスライドドア等により開閉可能に通路２２に繋がっていてもよい。多目的トイレ４６は、左側の外周壁１２に沿って前方から後方に向かって順に配置された１つの大便器１８と１つの手洗い器１９とを有する個室として構成されている。この個室の大便器１８の近傍には、ロールペーパーホルダー（不図示）が設けられている。なお、多目的トイレ４６の左側の外周壁１２には、窓１４が取り付けられている。
【００１８】
また、水洗トイレユニット１内には電気系統および給排水系統が設けられている。電気系統は、発電機や送電網からの電力を水洗トイレユニット１内に設置される照明器等に供給する。
【００１９】
給排水系統は、水洗トイレユニット１の前端の外周壁１２に設けられた給水部２４を有している。給水部２４には外部の給水タンクや水道管が接続され、上水が供給される。供給された上水は、水洗トイレユニット１内の給水系を通じて小便器１７、大便器１８および手洗い器１９に供給される。
【００２０】
小便器１７、大便器１８および手洗い器１９の汚水は、排水系を通じて後述の汚水タンク５１へ排出される。排水系は、水洗トイレユニット１において発生した汚水を汚水タンク５１へ導く配管（不図示）を有している。小便器１７、大便器１８および手洗い器１９からの汚水は上記配管を通じて汚水タンク５１に流入する。
【００２１】
図２〜図４に示すように、水洗トイレユニット１は、その底部に設置された汚水タンク５１と、汚水タンク５１より下方に設置された排水管６０と、排水管６０の途中に設けられたバルブ６８と、排水管６０に接続された通気管７２とを備えている。
【００２２】
汚水タンク５１は、床１３の外周縁から下方に延びる矩形状の側板５３より内側に配置されている。側板５３の前側かつ下側には、排水管６０の他端６４を固定すると共に、バルブ６８のハンドルを操作可能に支持した操作部５４が設けられている。汚水タンク５１は、床１３の下方に設置された直方体形状のタンクであり、内部に汚水を貯留する。汚水タンク５１の下部（底）には、汚水タンク５１の内部に貯留された汚水を排出する排出孔５２が形成されている。
【００２３】
排水管６０は、一端６１が汚水タンク５１の排出孔５２と接続し、他端６４がコンテナ１０の側方に向かって開口している。排水管６０は、一端６１を包含する第１パイプ６２と、第１パイプ６２と後述する第３パイプ６５との間に接続された第２パイプ６３と、他端６４を包含する第３パイプ６５とを有する。第１パイプ６２は、汚水タンク５１から離れる方向（図４中、下方向）に延び、さらに屈曲しながら前方に向かって延びている。第２パイプ６３は、汚水タンク５１の底に沿って前後方向に線状に延びている。第３パイプ６５は、第２パイプ６３の前端から操作部５４に向かう方向（図５中、左方向）に屈曲しながら汚水タンク５１の底に沿って延び、他端６４が操作部５４に固定されている。
【００２４】
排水管６０の第２パイプ６３には、コンテナ１０の外部からハンドルが操作されることで、排水管６０を閉塞した状態と排水管６０を開放した状態とを切り替えるバルブ６８が取り付けられている。バルブ６８が排水管６０を閉塞した状態では、汚水タンク５１に汚水が貯留されたままであり、バルブ６８が排水管６０を開放した状態では、汚水タンク５１内の汚水を外部に排出可能となる。
【００２５】
排水管６０の他端６４には、汚水タンク５１からの汚水を下水道へ導く流路７０が接続可能である。この流路７０はパイプやチューブからなり、排水管６０と下水道とを連通している。本実施形態では、排水管６０に流路７０が接続された場合における水洗トイレユニット１と流路７０とが、本考案に係る水洗トイレシステムを構成している。
【００２６】
通気管７２は、汚水タンク５１内と外部とを連通させている。通気管７２は、その一端７３が排水管６０におけるバルブ６８と他端６４との間の部分に接続され（図５参照）、通気管７２の他端７５が汚水タンク５１内の空間の上部に開口している（図４参照）。通気管７２は、一端７３を包含する第１管部７４と、第１管部７４と一体に形成され、他端７５を包含する第２管部７６とを有する。第１管部７４は、一端７３が第２パイプ６３のバルブ６８近傍に接続され、汚水タンク５１の底に沿ってコンテナ１０の内方（図５中、右方向）に線状に延びている。第２管部７６は第１管部７４に連通し、汚水タンク５１に向かって図４中、上下方向に線状に延びている。これにより、第２管部７６は汚水タンク５１の底を貫通し、前述した通り、通気管７２の他端７５が汚水タンク５１内の空間の上部に開口する。従って、汚水タンク５１に貯留された汚水は、他端７５を介して通気管７２に流入しにくく、通気管７２が汚水タンク５１内の空気を排水管６０に案内する。
【００２７】
本実施形態においては、バルブ６８が排水管６０を閉塞した状態では、小便器１７、大便器１８および手洗い器１９の汚水が汚水タンク５１に貯留される。一実施例では、汚水タンク５１を４．６キロリットルの容量とし、大便器１８を１回の汚水排水量が約８００ミリリットルの節水タイプとする。これにより、約５０００回分の大便器１８からの排水を汚水タンク５１に貯留できる。一方、排水管６０に流路７０が接続された場合において、バルブ６８が排水管６０を開放した状態では、小便器１７、大便器１８および手洗い器１９の汚水が汚水タンク５１に貯留されず、排水管６０および流路７０を介して下水道に排出される。バルブ６８をいずれの状態にするかは、水洗トイレユニット１を設置する環境に応じて決定されるとよい。
【００２８】
以上説明した本実施形態によると、汚水タンク５１が外部ではなく、コンテナ１０と一体に設けられている。そして、この汚水タンク５１は、床下のスペースを利用して設けられている。このため、水洗トイレユニット１全体がコンパクトに利用できるものとなっている。また、バルブ６８の切り替えにより、排水管６０において汚水タンク５１に汚水を貯留する状態と汚水タンク５１から汚水を排出できる状態とを切り替えられる。排水管６０を下水道への流路７０と繋げると共に、排水管６０を汚水タンク５１から汚水を排出できる状態にすると、汚水を直接下水道へ排出することも可能である。このように、本考案は、汚水タンク５１に汚水を貯留する使用方法と、直接下水道へ汚水を排出する使用方法との両方に対応している。
【００２９】
また、本実施形態に係る水洗トイレユニット１は、排水管６０の他端６４がコンテナ１０の側方に向かって開口しているので、例えば排水管６０の他端がコンテナ１０の底部に開口している場合と比べて、下水道に汚水を排出する流路７０を排水管６０に接続しやすい。
【００３０】
本実施形態に係る水洗トイレユニット１は、汚水タンク５１内の空気が通気管７２及び排水管６０を通じて外部へ排出され、汚水タンク５１内の空気を清浄化しやすい。
【００３１】
本実施形態に係る水洗トイレユニット１は、排水管６０と流路７０を介し、水洗トイレユニット１からの汚水を容易に下水道へ排出できる。
【００３２】
以上は、本考案の好適な実施形態についての説明であるが、本考案は上述の実施形態に限られるものではなく、課題を解決するための手段に記載された範囲の限りにおいて様々な変更が可能なものである。
【００３３】
例えば、上述の実施形態では、排水管６０の他端６４がコンテナ１０の側方に向かって開口している。しかし、排水管６０の他端６４がコンテナ１０の後方に向かって開口してもよい。
【符号の説明】
【００３４】
１  水洗トイレユニット
１０  コンテナ
１３  床
１６  仕切り壁
１７  小便器
１８  大便器
１９  手洗い器
３３  個室
５１  汚水タンク
６０  排水管
６１  一端
６４  他端
６８  バルブ
７０  流路
７２  通気管
７３  一端
７５  他端
【図１】
0003212244.tif 000003
【図２】
0003212244.tif 000004
【図３】
0003212244.tif 000005
【図４】
0003212244.tif 000006
【図５】
0003212244.tif 000007